(57)【要約】【課題】経由機として機能する通信装置の電力消費を少なくすること。【解決手段】１つの態様に係る通信装置１０は、経由機２０を介してデータ通信網１００及び音声回線網２００と通信可能に接続される。通信装置１０は、経由機２０との通信を確立する通信部１６と、経由機２０のバッテリ２３の残量が第１の閾値を下回った場合に、経由機２０を介してデータ通信をする第１の機能を停止させ、バッテリ２３の残量が第１の閾値よりも低く設定された第２の閾値を下回った場合に、経由機２０を介して通話をする第２の機能を停止させる制御部１７とを備える。【選択図】図１
2015088928.tif 000002
【特許請求の範囲】
【請求項１】
経由機を介して公衆回線網と通信可能に接続される通信装置であって、
前記経由機との通信を確立する通信部と、
前記経由機のバッテリの残量が第１の閾値を下回った場合に、当該経由機を介してデータ通信をする第１の機能を停止させ、前記バッテリの残量が前記第１の閾値よりも低く設定された第２の閾値を下回った場合に、当該経由機を介して通話をする第２の機能を停止させる制御部と
を備える通信装置。
【請求項２】
前記制御部は、前記バッテリの残量が前記第１の閾値を下回った場合に前記第１の機能を停止するように前記経由機に指示し、前記バッテリの残量が前記第２の閾値を下回った場合に前記第２の機能を停止するように前記経由機に指示する請求項１に記載の通信装置。
【請求項３】
経由機と前記経由機を介して公衆回線網と通信可能に接続される末端機とを含む通信システムであって、
前記経由機は、バッテリを備え、
前記末端機は、
前記経由機との間で前記データ通信網との通信の中継のための第１経路と前記音声回線網との通信の中継のための第２経路とを確立する通信部と、
前記バッテリの残量が第１の閾値を下回った場合に、当該経由機を介してデータ通信をする第１の機能を停止させ、前記バッテリの残量が前記第１の閾値よりも低く設定された第２の閾値を下回った場合に、当該経由機を介して通話をする第２の機能を停止させる制御部と
を備える通信システム。
【請求項４】
経由機を介して公衆回線網と通信可能に接続される通信装置によって実行される通信制御方法であって、
前記経由機との通信を確立するステップと、
前記経由機のバッテリの残量が第１の閾値を下回った場合に、当該経由機を介してデータ通信をする第１の機能を停止させるステップと、
前記バッテリの残量が前記第１の閾値よりも低く設定された第２の閾値を下回った場合に、当該経由機を介して通話をする第２の機能を停止させるステップと
を含む通信制御方法。
【請求項５】
経由機を介して公衆回線網と通信可能に接続される通信装置に、
前記経由機との通信を確立するステップと、
前記経由機のバッテリの残量が第１の閾値を下回った場合に、当該経由機を介してデータ通信をする第１の機能を停止させるステップと、
前記バッテリの残量が前記第１の閾値よりも低く設定された第２の閾値を下回った場合に、当該経由機を介して通話をする第２の機能を停止させるステップと
を実行させる通信制御プログラム。
【請求項６】
末端機による公衆回線網との通信を中継する通信装置であって、
バッテリと、
前記末端機との第１の通信および前記公衆回線網との第２の通信を確立する通信部と、
前記バッテリの残量が第１の閾値を下回った場合に前記末端機のデータ通信を中継する第１の機能を停止させ、前記バッテリの残量が前記第１の閾値よりも低く設定された第２の閾値を下回った場合に前記末端機に通話を中継する第２の機能を停止させる制御部と
を備える通信装置。
【発明の詳細な説明】
【技術分野】
【０００１】
本出願は、通信装置、通信システム、通信制御方法、及び通信制御プログラムに関する。
【背景技術】
【０００２】
携帯電話機への着信があった場合に、その着信に係る通話を他の電子機器を用いて行う技術が知られている。例えば、Ｂｌｕｅｔｏｏｔｈ（登録商標）に対応する無線モジュールを搭載したワイヤレスヘッドセット型の分離型携帯電話機が提案されている。この技術は、ヘッドセットを耳に装着して電話機本体はカバンの中に入れたままの状態で電話をかけたり受けたりすることを可能にしている（特許文献１参照）。 
【先行技術文献】
【特許文献】
【０００３】
【特許文献１】特開２００３−１３４２２４号公報
【発明の概要】
【発明が解決しようとする課題】
【０００４】
上記の携帯電話機のように通話を中継する経由機として機能する通信装置が、バッテリの残量が少なくなって動作できなくなると、利用者は、経由機を介した通話の着信を受けられなくなる。このため、経由機として機能する通信装置の電力消費を少なくすることへのニーズがある。
【課題を解決するための手段】
【０００５】
１つの態様に係る通信装置は、経由機を介して公衆回線網と通信可能に接続される通信装置であって、前記経由機との通信を確立する通信部と、前記経由機のバッテリの残量が第１の閾値を下回った場合に、当該経由機を介してデータ通信をする第１の機能を停止させ、前記バッテリの残量が前記第１の閾値よりも低く設定された第２の閾値を下回った場合に、当該経由機を介して通話をする第２の機能を停止させる制御部とを備える。
【０００６】
他の態様に係る通信装置は、末端機による公衆回線網との通信を中継する通信装置であって、バッテリと、前記末端機との第１の通信および前記公衆回線網との第２の通信を確立する通信部と、前記バッテリの残量が第１の閾値を下回った場合に前記末端機のデータ通信を中継する第１の機能を停止させ、前記バッテリの残量が前記第１の閾値よりも低く設定された第２の閾値を下回った場合に前記末端機に通話を中継する第２の機能を停止させる制御部とを備える。
【０００７】
他の態様に係る通信システムは、経由機と前記経由機を介して公衆回線網と通信可能に接続される末端機とを含む通信システムであって、前記経由機は、バッテリを備え、前記末端機は、前記経由機との間で前記データ通信網との通信の中継のための第１経路と前記音声回線網との通信の中継のための第２経路とを確立する通信部と、前記バッテリの残量が第１の閾値を下回った場合に、当該経由機を介してデータ通信をする第１の機能を停止させ、前記バッテリの残量が前記第１の閾値よりも低く設定された第２の閾値を下回った場合に、当該経由機を介して通話をする第２の機能を停止させる制御部とを備える。
【０００８】
他の態様に係る通信制御方法は、経由機を介して公衆回線網と通信可能に接続される通信装置によって実行される通信制御方法であって、前記経由機との通信を確立するステップと、前記経由機のバッテリの残量が第１の閾値を下回った場合に、当該経由機を介してデータ通信をする第１の機能を停止させるステップと、前記バッテリの残量が前記第１の閾値よりも低く設定された第２の閾値を下回った場合に、当該経由機を介して通話をする第２の機能を停止させるステップとを含む。
【０００９】
他の態様に係る通信制御プログラムは、経由機を介して公衆回線網と通信可能に接続される通信装置に、前記経由機との通信を確立するステップと、前記経由機のバッテリの残量が第１の閾値を下回った場合に、当該経由機を介してデータ通信をする第１の機能を停止させるステップと、前記バッテリの残量が前記第１の閾値よりも低く設定された第２の閾値を下回った場合に、当該経由機を介して通話をする第２の機能を停止させるステップとを実行させる。
【図面の簡単な説明】
【００１０】
【図１】図１は、通信システムの構成の例を示す図である。
【図２】図２は、通信システムの構成の他の例を示す図である。
【図３】図３は、通信制御のための閾値の例を示す図である。
【図４】図４は、通常時の制御の例を示す図である。
【図５】図５は、経由機のバッテリの充電時の制御の例を示す図である。
【図６】図６は、通信装置（末端機）の構成を示すブロック図である。
【図７】図７は、通信制御の例を示すフローチャートである。
【図８】図８は、発信時の動作の例を示すフローチャートである。
【図９】図９は、通信装置（経由機）の構成を示すブロック図である。
【図１０】図１０は、通信制御の例を示すフローチャートである。
【発明を実施するための形態】
【００１１】
本発明を実施するための実施形態を、図面を参照しつつ詳細に説明する。
【００１２】
（実施形態１）
図１を参照しながら、実施形態に係る通信システム１の構成について説明する。図１は、通信システム１の構成の例を示す図である。図１に示すように、通信システム１は、通信装置１０と、通信装置２０とを含む。通信システム１は、データ通信網１００と音声回線網２００とを含む公衆回線と通信を行うシステムである。通信装置２０は、当該通信装置２０を介して、通信装置１０とデータ通信網１００との通信と、通信装置１０と音声回線網２００との通信とが行われる経由機として機能する。通信装置１０は、データ通信網１００を介して他の装置とデータ通信を行う機能と、音声回線網２００を介して他の装置と通話を行う機能とを有する。
【００１３】
通信装置１０は、バッテリ１３と、通信部１５と、通信部１６と、制御部１７とを有する。バッテリ１３は、通信装置１０の各種の機能部に電力を供給する。通信部１５は、データ通信網１００と通信装置１０との間の通信と、音声回線網２００と通信装置１０との間の通信を可能にする。通信部１５による通信は、通信可能距離が比較的長い無線通信であり、通信装置２０を介さずに行われる。通信部１５がサポートする通信方式には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等が含まれるが、これらに限定されない。
【００１４】
通信部１６は、通信装置２０との通信を可能にする。通信部１６による通信は、比較的通信可能距離が短い近距離通信であり、他の装置を介さずに行われる。通信部１６がサポートする通信方式には、例えば、Ｂｌｕｅｔｏｏｔｈ、Ｗｉ−Ｆｉ（登録商標）、可視光通信、赤外線通信、ＺｉｇＢｅｅ等が含まれるが、これらに限定されない。制御部１７は、各種の制御を実行する。
【００１５】
通信装置２０は、バッテリ２３と、通信部２５と、通信部２６と、制御部２７とを有する。バッテリ２３は、通信装置２０の各種の機能部に電力を供給する。通信部２５は、データ通信網１００と通信装置２０との間の通信と、音声回線網２００と通信装置２０との間の通信を可能にする。通信部２５による通信は、通信可能距離が比較的長い無線通信である。通信部２５がサポートする通信方式には、上述した通信部１５がサポートする通信方式の例と同様の通信方式が含まれるが、通信部２５がサポートする通信方式は、通信部１５がサポートする通信方式と異なってもよい。
【００１６】
通信部２６は、通信装置１０との通信を可能にする。通信部２６による通信は、通信可能距離が比較的短い近距離通信であり、他の装置を介さずに行われる。通信部２６がサポートする通信方式は、通信部１６がサポートする通信方式と対応する通信方式である。
【００１７】
通信装置２０と通信装置１０との間の通信は、第１経路ＰＴ１又は第２経路ＰＴ２を介して実行される。第１経路ＰＴ１は、データ通信のための経路である。第２経路ＰＴ２は、通話のための経路である。第１経路ＰＴ１及び第２経路ＰＴ２は、互いに異なる通信方式によって実現されてもよい。例えば、第１経路ＰＴ１がＷｉ−Ｆｉによって実現され、第２経路ＰＴ２がＢｌｕｅｔｏｏｔｈによって実現されてもよい。例えば、第１経路ＰＴ１がＢｌｕｅｔｏｏｔｈのデータ通信用プロファイルによって実現され、第２経路ＰＴ２がＢｌｕｅｔｏｏｔｈの通話用プロファイルによって実現されてもよい。
【００１８】
第１経路ＰＴ１及び第２経路ＰＴ２が互いに異なる通信方式によって実現される場合、通信部１６及び通信部２６は、それぞれの経路用の通信部を備えてもよい。例えば、図２に示すように、通信部１６が、第１経路ＰＴ１のための通信部１６ａと、第２経路ＰＴ２のための通信部１６ｂとを備え、通信部２６が、第１経路ＰＴ１のための通信部２６ａと、第２経路ＰＴ２のための通信部２６ｂとを備えてもよい。通信部１６ａ及び通信部２６ａは、同じ通信方式をサポートする。通信部１６ｂ及び通信部２６ｂは、同じ通信方式をサポートする。
【００１９】
第１経路ＰＴ１は、第２経路ＰＴ２を兼ねてもよい。すなわち、第１経路ＰＴ１は、データ通信と通話の両方に用いられてもよい。この場合、例えば、第１経路ＰＴ１を流れるパケットは、ヘッダを参照することによって、データ通信用のパケットであるか通話用のパケットであるかが判定される。
【００２０】
本実施形態では、通信装置２０と通信装置１０との間の通信は、さらに第３経路ＰＴ３を介して実行される。第３経路ＰＴ３は、通信装置１０が、通信装置２０のバッテリ２３の残量に関する情報を取得するための経路である。バッテリ２３の残量に関する情報は、定期的に通信装置２０から通信装置１０へ送信される。バッテリ２３の残量に関する情報の送信は、通信装置２０の電力消費にほとんど影響を与えない程度の頻度及びデータ量で行われることが好ましい。第２経路ＰＴ２は、第３経路ＰＴ３を兼ねてもよい。すなわち、バッテリ２３の残量に関する情報は、第２経路ＰＴ２を介して通信装置２０から通信装置１０へ送信されてもよい。
【００２１】
通信装置１０によるデータ通信は、２つの経路のうち、いずれか一方を用いて行われる。一方の経路は、通信部１６と通信部２６の間の第１経路ＰＴ１と、通信部２５とデータ通信網１００との間の第４経路ＰＴ４とを介する経路である。この経路でデータ通信が行われる場合、通信装置２０は、ルータ又はモデムのように機能する。もう一方の経路は、通信部１５とデータ通信網１００との間の第６経路ＰＴ６を介する経路である。この経路でデータ通信が行われる場合、通信装置２０は特に通信に関与しない。
【００２２】
同様に、通信装置１０による通話は、２つの経路のうち、いずれか一方を用いて行われる。一方の経路は、通信部１６と通信部２６の間の第２経路ＰＴ２と、通信部２５と音声回線網２００との間の第５経路ＰＴ５とを介する経路である。この経路で通話が行われる場合、通信装置２０は、親子電話における親機のように機能する。すなわち、通話の発信及び着信は、通信装置１０の電話番号ではなく、通信装置２０の電話番号を用いて行われる。もう一方の経路は、通信部１５と音声回線網２００との間の第７経路ＰＴ７を介する経路である。この経路で通話が行われる場合、通話の発信及び着信は、通信装置１０の電話番号を用いて行われる。
【００２３】
通信装置１０の制御部１７は、データ通信及び通話において用いられる経路を、通信装置２０のバッテリ２３の残量に基づいて制御する。なお、本実施形態の説明では、データ通信及び通話において、通信装置２０を介した通信の方が、通信装置２０を介さない通信よりも、品質、料金、速度等の何らかの点において、通常利用時に有利であるものと想定する。さらに、通信装置２０は、通信装置１０と第１経路ＰＴ１及び第２経路ＰＴ２を介して通信可能な位置にあるものと想定する。
【００２４】
図３から図５を参照しながら、通信装置１０による通信制御についてより詳細に説明する。図３は、通信制御のための閾値の例を示す図である。図３に示すように、通信装置１０は、通信装置２０のバッテリ２３の残量について、第１の閾値と第２の閾値という２つの閾値を設定する。第２の閾値は、第１の閾値よりも低く設定される。第１の閾値及び第２の閾値は、利用者によって設定可能に構成されてもよい。
【００２５】
図４は、通常時の制御の例を示す図である。図４に示すステップＳ１１では、バッテリ２３の残量が満タンであり、通信装置１０及び２０の第１の機能と、第２の機能とが動作中である。第１の機能は、通信装置１０のデータ通信を通信装置２０が中継するための機能である。第２の機能は、通信装置１０の通話を通信装置２０が中継するための機能である。
【００２６】
通信装置１０及び２０の第１の機能が動作中の場合、通信装置１０からのデータの送信は、通信装置２０を介して行われる。通信装置１０及び２０の第１の機能が動作中の場合、通信装置１０へのデータの送信は、通信装置２０を介して、又は通信部１５による第６経路ＰＴ６を介して行われる。
【００２７】
通信装置１０及び２０の第２の機能が動作中の場合、通信装置１０からの通話の送信は、通常は、通信装置２０を介して行われる。通信装置１０及び２０の第２の機能が動作中の場合、通信装置１０への通話の着信は、通信装置２０を介して、又は通信部１５による第７経路ＰＴ７を介して行われる。
【００２８】
ステップＳ１２では、通信装置２０が電力を消費し、バッテリ２３の残量が第１の閾値を下回っている。通信装置１０は、バッテリ２３の残量が第１の閾値を下回ったことを検出すると、第２の機能を維持したままで、通信装置１０及び２０の第１の機能を停止させる。具体的には、通信装置１０は、通信装置１０自身の第１の機能を停止させ、さらに、第１の機能を停止するように通信装置２０に指示する。これにより、第１経路ＰＴ１が切断される。
【００２９】
第１の機能の停止は、ソフトウェア的に行われてもよいし、ハードウェア的に行われてもよい。第１の機能の停止がソフトウェア的に行われる場合、通信装置１０及び２０は、第１の機能に関するソフトウェア処理を停止させる。第１の機能の停止がハードウェア的に行われる場合、通信装置１０及び２０は、第１の機能に関する回路を停止させる。第１の機能の停止は、単に、第１の機能のための無線信号の送出を停止することによって行われてもよい。
【００３０】
通信装置１０には、通信装置１０の電話番号を発信相手として指定する通話と、通信装置２０の電話番号を発信相手として指定する通話とが着信する。このうち、通信装置２０の電話番号を発信相手として指定する通話は、第２の機能によって通信装置２０を介して通信装置１０に着信する。このため、バッテリ２３の残量が少なくなって通信装置２０が動作を継続できなくなった場合、通信装置１０は、通信装置２０の電話番号を発信相手として指定する通話を受けることができなくなる。
【００３１】
バッテリ２３の残量が第１の閾値を下回った場合に、第２の機能を停止させずに第１の機能を停止させることにより、通信装置２０の電話番号を発信相手として指定する通話を通信装置１０が受けることができる期間を延ばすことができる。すなわち、第１の機能を停止させることにより、通信装置２０の電力消費を少なくすることができる。さらに、第２の機能を停止させないことにより、通信装置２０を介した音声着信が通信装置１０に着信することができる。この結果、重要な通話を通信装置１０の利用者が受けることができない事態が生じる可能性を低減することができる。
【００３２】
通信装置２０は、第１の機能を停止させる場合に、データ通信網１００と通信するための機能を停止させ、第４経路ＰＴ４を切断してもよい。データ通信網１００と通信するための機能の停止は、ソフトウェア的に行われてもよいし、ハードウェア的に行われてもよい。このように、データ通信網１００と通信するための機能を停止させることにより、通信装置２０の電力消費をさらに少なくすることができる。
【００３３】
ステップＳ１３では、通信装置２０が電力をさらに消費し、バッテリ２３の残量が第２の閾値を下回っている。通信装置１０は、バッテリ２３の残量が第２の閾値を下回ったことを検出すると、通信装置１０及び２０の第２の機能を停止させる。具体的には、通信装置１０は、通信装置１０自身の第２の機能を停止させ、さらに、第２の機能を停止するように通信装置２０に指示する。これにより、第２経路ＰＴ２が切断される。
【００３４】
第２の機能の停止は、ソフトウェア的に行われてもよいし、ハードウェア的に行われてもよい。第２の機能の停止がソフトウェア的に行われる場合、通信装置１０及び２０は、第２の機能に関するソフトウェア処理を停止させる。第２の機能の停止がハードウェア的に行われる場合、通信装置１０及び２０は、第２の機能に関する回路を停止させる。第２の機能の停止は、単に、第２の機能のための無線信号の送出を停止することによって行われてもよい。
【００３５】
第２の機能の停止により、通信装置１０は、通信装置２０の電話番号を発信相手として指定する通話を受けることができなくなる。しかしながら、通信装置２０の電力消費を少なくすることができるので、通信装置２０が電話帳データ及び通信履歴データの表示等の最小限の機能を維持することができる期間を延ばすことができる。
【００３６】
通信装置２０は、第２の機能を停止させる場合に、音声回線網２００と通信するための機能を停止させ、第５経路ＰＴ５を切断してもよい。音声回線網２００と通信するための機能の停止は、ソフトウェア的に行われてもよいし、ハードウェア的に行われてもよい。このように、音声回線網２００と通信するための機能を停止させることにより、通信装置２０の電力消費をさらに少なくすることができる。
【００３７】
図５は、バッテリ２３の充電時の制御の例を示す図である。図５に示すステップＳ２１では、図４に示すステップＳ１３と同様に、バッテリ２３の残量が第２の閾値を下回っている。このため、ステップＳ２１では、第１の機能及び第２の機能は停止している。
【００３８】
ステップＳ２２では、充電によりバッテリ２３の残量が第２の閾値を上回っている。通信装置１０は、バッテリ２３の残量が第２の閾値を上回ったことを検出すると、第１の機能を停止させたままで、通信装置１０及び２０の第２の機能を起動させる。具体的には、通信装置１０は、通信装置１０自身の第２の機能を起動させ、さらに、第２の機能を起動するように通信装置２０に指示する。これにより、第２経路ＰＴ２が確立される。このとき、通信装置２０は、音声回線網２００と通信するための機能を停止させている場合、この機能を起動させ、第５経路ＰＴ５を確立する。
【００３９】
バッテリ２３の残量が第２の閾値を上回った場合に、まず第２の機能を起動させることにより、通信装置２０の電話番号を発信相手として指定する通話を通信装置１０が受けることを可能にする。この結果、重要な通話を通信装置１０の利用者が受けることができない事態が生じる可能性を低減することができる。さらに、第１の機能を停止したままとすることにより、バッテリ２３の充電を早めることができる。
【００４０】
ステップＳ２３では、充電によりバッテリ２３の残量が第１の閾値を上回っている。通信装置１０は、バッテリ２３の残量が第１の閾値を上回ったことを検出すると、通信装置１０及び２０の第１の機能を起動させる。具体的には、通信装置１０は、通信装置１０自身の第１の機能を起動させ、さらに、第１の機能を起動するように通信装置２０に指示する。これにより、第１経路ＰＴ１が確立される。このとき、通信装置２０は、データ通信網１００と通信するための機能を停止させている場合、この機能を起動させ、第４経路ＰＴ４を確立する。
【００４１】
バッテリ２３の残量が第１の閾値を上回った場合に第１の機能を起動させることにより、通信装置１０は、通信装置２０の稼働時間を十分に確保しつつ、有利な経路によりデータ通信を行うことができる。
【００４２】
第１の閾値及び第２の閾値は、通常時と充電時とで異なってもよい。第１の閾値及び第２の閾値は、同じ値に設定されてもよい。
【００４３】
図６を参照しながら、通信装置１０の構成についてより詳細に説明する。図６は、通信装置１０の構成を示すブロック図である。図６に示すように、通信装置１０は、表示部１１と、操作部１２と、バッテリ１３と、バッテリ制御部１４と、通信部１５と、通信部１６と、制御部１７と、記憶部１８とを有する。
【００４４】
表示部１１は、利用者に対して情報を表示する。表示部１１は、情報を表示するための表示パネルを有する。操作部１２は、利用者の操作を受け付ける。操作部１２は、操作を受け付けるためのボタン、スイッチ、タッチセンサ等の入力装置を有する。
【００４５】
バッテリ１３は、通信装置１０の各種の機能部に電力を供給する。バッテリ制御部１４は、状況に応じて、バッテリ１３が供給する電力を制御する。さらに、バッテリ制御部１４は、バッテリ１３の残量を監視して、制御部１７に通知する。
【００４６】
通信部１５は、データ通信網１００と通信装置１０との間の通信と、音声回線網２００と通信装置１０との間の通信を可能にする。通信部１６は、通信装置２０との通信を可能にする。
【００４７】
制御部１７は、演算処理装置である。演算処理装置には、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）等が含まれるが、これらに限定されない。制御部１７は、通信装置２０の動作を統括的に制御して各種の機能を実現する。
【００４８】
具体的には、制御部１７は、記憶部１８に記憶されているデータを必要に応じて参照しつつ、記憶部１８に記憶されているプログラムに含まれる命令を実行する。そして、制御部１７は、データ及び命令に応じて機能部を制御し、それによって各種機能を実現する。機能部には、例えば、表示部１１、バッテリ制御部１４、通信部１５、通信部１６等が含まれるが、これらに限定されない。制御部１７は、検出部の検出結果に応じて、制御を変更することがある。検出部には、例えば、操作部１２、バッテリ制御部１４、通信部１５、通信部１６等が含まれるが、これらに限定されない。
【００４９】
記憶部１８は、プログラム及びデータを記憶する。記憶部１８は、制御部１７の処理結果を一時的に記憶する作業領域としても利用される。記憶部１８は、半導体記憶媒体、及び磁気記憶媒体等の任意の非一過的（ｎｏｎ−ｔｒａｎｓｉｔｏｒｙ）な記憶媒体を含んでもよい。非一過的な記憶媒体には、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体等が含まれるが、これらに限定されない。記憶部１８は、複数の種類の記憶媒体を含んでもよい。記憶部１８は、メモリカード、光ディスク、又は光磁気ディスク等の可搬の記憶媒体と、記憶媒体の読み取り装置との組み合わせを含んでもよい。記憶部１８は、ＲＡＭ（Ｒａｎｄｏｍ  Ａｃｃｅｓｓ  Ｍｅｍｏｒｙ）等の一時的な記憶領域として利用される記憶デバイスを含んでもよい。
【００５０】
記憶部１８は、通信制御プログラム１８ａと、設定情報１８ｂとを記憶する。
【００５１】
通信制御プログラム１８ａは、通信に関する各種制御に関する機能を提供する。通信に関する制御には、データ通信のための制御、通話のための制御、図４及び５に示した制御等が含まれる。
【００５２】
設定情報１８ｂは、通信装置１０の動作に関する各種の設定値を保持する。通信装置１０の動作に関する設定値には、図３に示した第１の閾値及び第２の閾値が含まれる。
【００５３】
図７及び８を参照しながら、通信装置１０の動作についてより詳細に説明する。図７は、通信制御の例を示すフローチャートである。図８は、発信時の動作の例を示すフローチャートである。図７及び８に示す動作は、制御部１７が通信制御プログラム１８ａを実行することによって実現される。図７に示す動作は、繰り返し実行される。図８に示す動作は、データ通信又は通話の発信時に実行される。
【００５４】
図７に示すように、通信制御において、制御部１７は、通信装置２０（経由機）のバッテリ２３の残量に関する情報を取得する（ステップＳ１０１）。取得された情報は、残量の変動を示す履歴情報として記憶部１８に一定期間（又は一定量）記憶される。そして、制御部１７は、取得した情報及び記憶部１８に記憶している情報に基づいて、バッテリ２３の残量が減少傾向にあるか否かを判定する（ステップＳ１０２）。バッテリ２３の残量が減少傾向にあるということは、通信装置２０が通常の状態にあることを意味する。一方、バッテリ２３の残量が減少傾向にないということは、通信装置２０が充電中であることを意味する。
【００５５】
バッテリ２３の残量が減少傾向にある場合（ステップＳ１０２，Ｙｅｓ）、制御部１７は、バッテリ２３の残量が第１の閾値より低いかを判定する（ステップＳ１０３）。バッテリ２３の残量が第１の閾値より低い場合（ステップＳ１０３，Ｙｅｓ）、制御部１７は、第１の機能の停止を経由機に指示する（ステップＳ１０４）。さらに、制御部１７は、通信装置１０の第１の機能を停止させる（ステップＳ１０５）。ステップＳ１０４及びステップＳ１０５は、第１の機能が動作中の場合にのみ実行される。
【００５６】
続いて、制御部１７は、バッテリ２３の残量が第２の閾値より低いかを判定する（ステップＳ１０６）。バッテリ２３の残量が第２の閾値より低い場合（ステップＳ１０６，Ｙｅｓ）、制御部１７は、第２の機能の停止を経由機に指示する（ステップＳ１０７）。さらに、制御部１７は、通信装置１０の第２の機能を停止させる（ステップＳ１０８）。ステップＳ１０７及びステップＳ１０８は、第２の機能が動作中の場合にのみ実行される。
【００５７】
バッテリ２３の残量が第２の閾値より低くない場合（ステップＳ１０６，Ｎｏ）、ステップＳ１０７及びステップＳ１０８は実行されない。バッテリ２３の残量が第１の閾値よりも低くない場合（ステップＳ１０３，Ｎｏ）、ステップＳ１０４からステップＳ１０８は実行されない。
【００５８】
バッテリ２３の残量が減少傾向にない場合（ステップＳ１０２，Ｎｏ）、制御部１７は、バッテリ２３の残量が第２の閾値より高いかを判定する（ステップＳ１０９）。バッテリ２３の残量が第２の閾値より高い場合（ステップＳ１０９，Ｙｅｓ）、制御部１７は、通信装置１０の第２の機能を起動させる（ステップＳ１１０）。さらに、制御部１７は、第２の機能の起動を経由機に指示する（ステップＳ１１１）。ステップＳ１１０及びステップＳ１１１は、第２の機能が停止中の場合にのみ実行される。
【００５９】
続いて、制御部１７は、バッテリ２３の残量が第１の閾値より高いかを判定する（ステップＳ１１２）。バッテリ２３の残量が第１の閾値より高い場合（ステップＳ１１２，Ｙｅｓ）、制御部１７は、通信装置１０の第１の機能を起動させる（ステップＳ１１３）。さらに、制御部１７は、第１の機能の起動を経由機に指示する（ステップＳ１１４）。ステップＳ１１３及びステップＳ１１４は、第１の機能が停止中の場合にのみ実行される。
【００６０】
バッテリ２３の残量が第１の閾値より高くない場合（ステップＳ１１２，Ｎｏ）、ステップＳ１１３及びステップＳ１１４は実行されない。バッテリ２３の残量が第２の閾値より高くない場合（ステップＳ１０９，Ｎｏ）、ステップＳ１１０からステップＳ１１４は実行されない。
【００６１】
図８に示すように、制御部１７は、発信要求を検出すると（ステップＳ２０１）、その発信要求が通話のためのものであるのかデータ通信のためのものであるのかを判定する（ステップＳ２０２）。
【００６２】
発信要求が通話のためのものである場合（ステップＳ２０２，Ｙｅｓ）、制御部１７は、発信要求が緊急発信のためのものであるかを判定する（ステップＳ２０３）。緊急発信とは、緊急時に行われる警察、消防署等への発信である。発信要求が緊急発信のためのものであるか否かは、例えば、発信先の電話番号に基づいて判定される。発信要求が緊急発信のためのものである場合（ステップＳ２０３，Ｙｅｓ）、制御部１７は、通信装置２０（経由機）を介さずに、通信部１５を用いて通話を実行する（ステップＳ２０４）。これにより、緊急度の高い通話をより確実に実行することができる。制御部１７は、緊急発信による通話中は、経由機の第２の機能を一時的に停止させてもよい。これにより、通信装置２０の電力消費を少なくすることができる。
【００６３】
発信要求が緊急発信のためのものでない場合（ステップＳ２０３，Ｎｏ）、制御部１７は、発信要求が無料通話のためのものであるかを判定する（ステップＳ２０５）。無料通話とは、通話料が発信者に課金されない通話である。発信要求が無料通話のためのものであるか否かは、例えば、発信先の電話番号に基づいて判定される。発信要求が無料通話のためのものである場合（ステップＳ２０５，Ｙｅｓ）、制御部１７は、経由機を介さずに、通信部１５を用いて通話を実行する（ステップＳ２０４）。これにより、より有利な経路を用いて通話を実行することができる。制御部１７は、無料通話中は、経由機の第２の機能を一時的に停止させてもよい。これにより、通信装置２０の電力消費を少なくすることができる。
【００６４】
発信要求が無料通話のためのものでない場合（ステップＳ２０５，Ｎｏ）、制御部１７は、第２の機能の状態を判定する（ステップＳ２０６）。第２の機能が停止中の場合（ステップＳ２０７，Ｙｅｓ）、制御部１７は、経由機を介さずに、通信部１５を用いて通話を実行する（ステップＳ２０４）。第２の機能が停止中でない場合（ステップＳ２０７，Ｎｏ）、制御部１７は、第２の機能による通話の中継を経由機に要求する（ステップＳ２０８）。
【００６５】
発信要求が通話のためのものでない場合（ステップＳ２０２，Ｎｏ）、制御部１７は、第１の機能の状態を判定する（ステップＳ２０９）。第１の機能が停止中の場合（ステップＳ２１０，Ｙｅｓ）、制御部１７は、経由機を介さずに、通信部１５を用いてデータ通信を実行する（ステップＳ２１１）。第１の機能が停止中でない場合（ステップＳ２１０，Ｎｏ）、制御部１７は、第１の機能によるデータ通信の中継を経由機に要求する（ステップＳ２１２）。
【００６６】
（実施形態２）
実施形態１では、図４及び５に示した制御を通信装置１０が主導する例について説明したが、図４及び５に示した制御を通信装置２０が主導することもできる。実施形態２では、図４及び５に示した制御を通信装置２０が制御する例について説明する。実施形態２では、図４及び５に示した第３経路ＰＴ３は必要ない。以下の説明では、上記の説明と重複する説明を繰り返さないことがある。
【００６７】
図９を参照しながら、通信装置２０の構成についてより詳細に説明する。図９は、通信装置２０の構成を示すブロック図である。図９に示すように、通信装置２０は、表示部２１と、操作部２２と、バッテリ２３と、バッテリ制御部２４と、通信部２５と、通信部２６と、制御部２７と、記憶部２８とを有する。
【００６８】
表示部２１は、利用者に対して情報を表示する。表示部２１は、情報を表示するための表示パネルを有する。操作部２２は、利用者の操作を受け付ける。操作部２２は、操作を受け付けるためのボタン、スイッチ、タッチセンサ等の入力装置を有する。
【００６９】
バッテリ２３は、通信装置２０の各種の機能部に電力を供給する。バッテリ制御部２４は、状況に応じて、バッテリ２３が供給する電力を制御する。さらに、バッテリ制御部２４は、バッテリ２３の残量を監視して、制御部２７に通知する。
【００７０】
通信部２５は、データ通信網１００と通信装置２０との間の通信と、音声回線網２００と通信装置２０との間の通信を可能にする。通信部２６は、通信装置１０との通信を可能にする。
【００７１】
制御部２７は、演算処理装置である。演算処理装置には、例えば、ＣＰＵ、ＳｏＣ、ＭＣＵ、ＦＰＧＡ等が含まれるが、これらに限定されない。制御部２７は、通信装置２０の動作を統括的に制御して各種の機能を実現する。
【００７２】
具体的には、制御部２７は、記憶部２８に記憶されているデータを必要に応じて参照しつつ、記憶部２８に記憶されているプログラムに含まれる命令を実行する。そして、制御部２７は、データ及び命令に応じて機能部を制御し、それによって各種機能を実現する。機能部には、例えば、表示部２１、バッテリ制御部２４、通信部２５、通信部２６等が含まれるが、これらに限定されない。制御部２７は、検出部の検出結果に応じて、制御を変更することがある。検出部には、例えば、操作部２２、バッテリ制御部２４、通信部２５、通信部２６等が含まれるが、これらに限定されない。
【００７３】
記憶部２８は、プログラム及びデータを記憶する。記憶部２８は、制御部２７の処理結果を一時的に記憶する作業領域としても利用される。記憶部２８は、半導体記憶媒体、及び磁気記憶媒体等の任意の非一過的（ｎｏｎ−ｔｒａｎｓｉｔｏｒｙ）な記憶媒体を含んでもよい。非一過的な記憶媒体には、例えば、ＣＤ、ＤＶＤ、Ｂｌｕ−ｒａｙ等の光ディスク、光磁気ディスク、磁気記憶媒体、メモリカード、及びソリッドステート記憶媒体等が含まれるが、これらに限定されない。記憶部２８は、複数の種類の記憶媒体を含んでもよい。記憶部２８は、メモリカード、光ディスク、又は光磁気ディスク等の可搬の記憶媒体と、記憶媒体の読み取り装置との組み合わせを含んでもよい。記憶部２８は、ＲＡＭ等の一時的な記憶領域として利用される記憶デバイスを含んでもよい。
【００７４】
記憶部２８は、通信制御プログラム２８ａと、設定情報２８ｂとを記憶する。
【００７５】
通信制御プログラム２８ａは、通信に関する各種制御に関する機能を提供する。通信に関する制御には、データ通信の中継のための制御、通話の中継のための制御、図４及び５に示した制御等が含まれる。
【００７６】
設定情報２８ｂは、通信装置２０の動作に関する各種の設定値を保持する。通信装置２０の動作に関する設定値には、図３に示した第１の閾値及び第２の閾値が含まれる。
【００７７】
図１０を参照しながら、通信装置２０の動作についてより詳細に説明する。図２０は、通信制御の例を示すフローチャートである。図１０に示す動作は、制御部２７が通信制御プログラム２８ａを実行することによって実現される。図１０に示す動作は、繰り返し実行される。
【００７８】
図１０に示すように、通信制御において、制御部２７は、バッテリ２３に関する情報を取得する（ステップＳ３０１）。そして、制御部２７は、取得した情報に基づいて、バッテリ２３が充電中であるか否かを判定する（ステップＳ３０２）。
【００７９】
バッテリ２３が充電中でない場合（ステップＳ３０２，Ｎｏ）、制御部２７は、バッテリ２３の残量が第１の閾値より低いかを判定する（ステップＳ３０３）。バッテリ２３の残量が第１の閾値より低い場合（ステップＳ３０３，Ｙｅｓ）、制御部２７は、通信装置２０の第１の機能を停止させる（ステップＳ３０４）。このとき、制御部２７は、第１の機能の停止を通信装置１０に指示してもよい。ステップＳ３０４は、第１の機能が動作中の場合にのみ実行される。
【００８０】
続いて、制御部２７は、バッテリ２３の残量が第２の閾値より低いかを判定する（ステップＳ３０５）。バッテリ２３の残量が第２の閾値より低い場合（ステップＳ３０５，Ｙｅｓ）、制御部２７は、通信装置２０の第２の機能を停止させる（ステップＳ３０６）。このとき、制御部２７は、第２の機能の停止を通信装置１０に指示してもよい。ステップＳ３０６は、第２の機能が動作中の場合にのみ実行される。
【００８１】
バッテリ２３の残量が第２の閾値より低くない場合（ステップＳ３０５，Ｎｏ）、ステップＳ３０６は実行されない。バッテリ２３の残量が第１の閾値より低くない場合（ステップＳ３０３，Ｎｏ）、ステップＳ３０４からステップＳ３０６は実行されない。
【００８２】
バッテリ２３の残量が充電中の場合（ステップＳ３０２，Ｙｅｓ）、制御部２７は、バッテリ２３の残量が第２の閾値より高いかを判定する（ステップＳ３０７）。バッテリ２３の残量が第２の閾値より高い場合（ステップＳ３０７，Ｙｅｓ）、制御部２７は、通信装置２０の第２の機能を起動させる（ステップＳ３０８）。このとき、制御部２７は、第２の機能の起動を通信装置１０に指示してもよい。この場合、ステップＳ３０８は、第２の機能が停止中の場合にのみ実行される。
【００８３】
続いて、制御部２７は、バッテリ２３の残量が第１の閾値より高いかを判定する（ステップＳ３０９）。バッテリ２３の残量が第１の閾値より高い場合（ステップＳ３０９，Ｙｅｓ）、制御部２７は、通信装置２０の第１の機能を起動させる（ステップＳ３１０）。このとき、制御部２７は、第１の機能の起動を通信装置１０に指示してもよい。ステップＳ３１０は、第１の機能が停止中の場合にのみ実行される。
【００８４】
バッテリ２３の残量が第１の閾値より高くない場合（ステップＳ３０９，Ｎｏ）、ステップＳ３１０は実行されない。バッテリ２３の残量が第２の閾値より高くない場合（ステップＳ３０７，Ｎｏ）、ステップＳ３０８からステップＳ３１０は実行されない。
【００８５】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００８６】
例えば、図６及び９に示した各プログラムは、複数のモジュールに分割されていてもよいし、他のプログラムと結合されていてもよい。
【００８７】
上記の実施形態では、通信装置１０が末端機として機能し、通信装置２０が経由機として機能する例について説明したが、通信装置１０及び２０は、設定に応じて経由機及び末端機のいずれとしても機能するように構成されてもよい。
【００８８】
通信装置１０及び２０は、両方が携帯通信装置であってもよいし、一方が携帯通信装置で他方が据え置き型の通信装置であってもよい。携帯通信装置には、例えば、スマートフォン、モバイルフォン、タブレット、携帯型パソコン、デジタルカメラ、メディアプレイヤ、電子書籍リーダ、ナビゲータ、及びゲーム機が含まれるが、これらに限定されない。通信装置１０は、ヘッドセットであってもよい。通信装置２０は、モバイルルータであってもよい。据え置き型の通信装置には、例えば、デスクトップパソコン、自動預入支払機（ＡＴＭ）、及びテレビ受像器が含まれるが、これらに限定されない。
【００８９】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００９０】
１  通信システム
１０、２０  通信装置
１１、２１  表示部
１２、２２  操作部
１３、２３  バッテリ
１４、２４  バッテリ制御部
１５、１６、１６ａ、１６ｂ、２５、２６、２６ａ、２６ｂ  通信部
１７、２７  制御部
１８、２８  記憶部
１８ａ、２８ａ  通信制御プログラム
１８ｂ、２８ｂ  設定情報
１００  データ通信網
２００  音声回線網
【図１】
2015088928.tif 000003
【図２】
2015088928.tif 000004
【図３】
2015088928.tif 000005
【図４】
2015088928.tif 000006
【図５】
2015088928.tif 000007
【図６】
2015088928.tif 000008
【図７】
2015088928.tif 000009
【図８】
2015088928.tif 000010
【図９】
2015088928.tif 000011
【図１０】
2015088928.tif 000012